(57)【要約】【課題】左右に冷凍空間と冷蔵空間を分離して設けた冷蔵庫において、真空断熱材を配設しやすくしてコスト安価に製造することができるとともに、使い勝手の良い冷蔵庫を提供する。【解決手段】冷凍温度帯の冷凍空間１２と冷蔵温度帯の冷蔵空間１４とを断熱仕切壁である縦仕切壁１６を介して左右に分離して設け、前記冷凍空間１２および前記冷蔵空間１４のいずれか一方の背面下部に圧縮機７０が配設された機械室７４を設け、前記冷蔵空間１４の上下方向中央部に水平仕切３２を設け、前記水平仕切３２の上側に複数の載置棚を備える冷蔵室３４を設けるとともに、前記水平仕切３２の下側に上段貯蔵室３６と下段貯蔵室３８とよりなる上下２段の貯蔵室を設け、両貯蔵室３６，３８の室内温度をそれぞれ独立して調整することができることを特徴とする。【選択図】        図２
2007132570.tif 000002
【特許請求の範囲】
【請求項１】
冷凍温度帯の冷凍空間と冷蔵温度帯の冷蔵空間とを断熱仕切壁である縦仕切壁を介して左右に分離して設け、前記冷凍空間および前記冷蔵空間のいずれか一方の背面下部に圧縮機が配設された機械室を設け、
前記冷蔵空間の上下方向中央部に水平仕切を設け、前記水平仕切の上側に複数の載置棚を備える冷蔵室を設けるとともに、前記水平仕切の下側に上段貯蔵室と下段貯蔵室とよりなる上下２段の貯蔵室を設け、各貯蔵室の室内温度をそれぞれ独立して調整することができることを特徴とする冷蔵庫。
【請求項２】
前記上段貯蔵室と下段貯蔵室の高さ寸法が等しいことを特徴とする請求項１に記載の冷蔵庫。
【請求項３】
前記上段貯蔵室と前記下段貯蔵室のうち少なくともいずれか一方の貯蔵室が、該貯蔵室の室内温度を庫外温度から冷凍温度帯よりも高い温度帯の範囲内で調整可能とする冷蔵切替室であることを特徴とする請求項１または２に記載の冷蔵庫。
【請求項４】
前記機械室が、前記冷蔵空間の背面下部に設けられていることを特徴とする請求項１〜３のいずれかに記載の冷蔵庫。
【請求項５】
前記下側貯蔵室が前記冷蔵室の室内温度より高温に設定され、
前記冷凍空間の上下方向中央部に製氷室を設け、この製氷室の上下にそれぞれ上方冷凍室と下方冷凍室を設け、前記下方冷凍室の室内温度は上方冷凍室より低温に設定されていることを特徴とする請求項１〜４のいずれかに記載の冷蔵庫。
【発明の詳細な説明】
【技術分野】
【０００１】
本発明は、冷蔵庫に関するものである。
【背景技術】
【０００２】
従来より、冷凍温度帯の冷凍空間と冷蔵温度帯の冷蔵空間とを断熱仕切壁である縦仕切壁を介して左右に分離した冷蔵庫が提案されている（例えば、特許文献１参照）。
【０００３】
図６は、従来のこの種の冷蔵庫１００を示す断面図であって、冷蔵庫１００は、外箱１０１ａと内箱１０１ｂの間にウレタンなど断熱材１０１ｃが発泡充填されてなる断熱箱体１０１の内部を、断熱仕切壁１０２を介して図面左側を冷凍空間１０４に、右側を冷蔵空間１０６にそれぞれ区画されている。
【０００４】
冷凍空間１０４および冷蔵空間１０６は、各空間毎に配置した冷凍用冷却器１０８、冷蔵用冷却器１１０およびファン１１２，１１４によってそれぞれ所定の設定温度に冷却保持されるものであり、各冷却器１０８、１１０は、圧縮機１１６や凝縮器１１８などからなる冷凍サイクルの運転によって冷媒が供給される。
【０００５】
上記した圧縮機１１６や凝縮器１１８は、図７に示すように、冷蔵庫１００の底部背後側に略全幅にわたって設けられた機械室１２０に設置されており、冷蔵庫１００の幅方向に亙って設けたコンプ台１２２上にクッション体を介して取り付けられている。
【特許文献１】特開２００１−１５３５２５
【発明の開示】
【発明が解決しようとする課題】
【０００６】
ところで、冷蔵庫における断熱箱体の断熱性能を向上させて熱漏洩を防ぐことで消費電力量を低減させたり、あるいは、断熱壁の厚さを薄くして冷蔵庫としての容積効率の向上を図るため、断熱材１０１ｃ内に平板状の真空断熱材１０３を配設する場合があるが、このような真空断熱材１０３は、通常、平板状であることから、比較的大きな面積を有する平面に配設しやすいものの、凹状の機械室周囲に配設しにくい。そのため、上記の冷蔵庫１００に真空断熱材１０３を配設しようとする場合、機械室１２０が冷凍空間１０４および冷蔵空間１０６にわたって設けられていることから、冷凍空間および冷蔵空間いずれの空間にも真空断熱材を配設しにくく、製造コストアップの原因となり問題である。
【０００７】
本発明は、上記事情を考慮してなされたものであり、左右に冷凍空間と冷蔵空間を分離して設けた冷蔵庫において、冷蔵庫の庫内空間や機械室の配置構造を改良することにより、真空断熱材を配設しやすくしてコスト安価に製造することができるとともに、使い勝手の良い冷蔵庫を提供することを目的とする。
【課題を解決するための手段】
【０００８】
本発明の冷蔵庫は、冷凍温度帯の冷凍空間と冷蔵温度帯の冷蔵空間とを断熱仕切壁である縦仕切壁を介して左右に分離して設け、前記冷凍空間および前記冷蔵空間のいずれか一方の背面下部に圧縮機が配設された機械室を設け、前記冷蔵空間の上下方向中央部に水平仕切を設け、前記水平仕切の上側に複数の載置棚を備える冷蔵室を設けるとともに、前記水平仕切の下側に上段貯蔵室と下段貯蔵室とよりなる上下２段の貯蔵室を設け、各貯蔵室の室内温度をそれぞれ独立して調整することができることを特徴とする。
【発明の効果】
【０００９】
本発明の冷蔵庫では、左右に分離した冷凍空間および冷蔵空間のいずれか一方の空間に機械室が設けられているため、他方の空間に機械室による凹部がなくなって真空断熱材を配設しやすくなり、真空断熱材を備えた冷蔵庫を安価に製造することができる。
【発明を実施するための最良の形態】
【００１０】
以下、本発明の実施形態について図面を参照して説明する。
【００１１】
図１は、本発明の一実施形態に係る冷蔵庫１０の正面図であり、図２は同冷蔵庫１０内部の正面図、図３は図１のＡ−Ａ線断面図、図４は図１のＢ−Ｂ線断面図、図５は機械室７４を示す冷蔵庫１０の要部拡大断面図である。
【００１２】
この冷蔵庫１０は、外箱１１ａと内箱１１ｂの間にウレタンなど断熱材１１ｃが発泡充填されてなる断熱箱体１１の内部を、上下方向に延びる垂直な断熱仕切壁１６により、向かって左側の冷凍空間１２と右側を冷蔵空間１４にそれぞれ区画されており、両空間は冷気が互いに循環しないように独立している。縦仕切壁１６は、冷蔵庫の幅方向中央部よりやや左寄りに配されており、これにより、冷蔵空間１４の方が冷凍空間１２よりもやや幅広く形成されている。
【００１３】
冷凍空間１２には、その上下方向中央部に製氷室１８が設けられ、製氷室１８の上側に第１冷凍室２０が、下側に第２冷凍室２２が、それぞれ設けられており、これにより、冷凍空間１２は、上から順番に第１冷凍室２０、製氷室１８、および第２冷凍室２２の３室で構成されている。
【００１４】
製氷室１８には、製氷皿およびこの製氷皿を動作させる駆動部を備える自動製氷装置２４と製氷された氷を貯める貯氷容器２６が配されており、回動式の扉２７の開扉動作に伴って貯氷容器２６が引き出されるように構成されている。
【００１５】
第１および第２冷凍室２０、２２は複数の棚２８を備える貯蔵室であり、回動式扉２９，３０で開閉されるようになっている。第２冷凍室２２は、第１冷凍室２０および製氷室１８の室内温度（例えば、−１８℃）より低温（例えば、−３０℃）に設定されており、食品などの長期保存に適した貯蔵空間が形成されている。
【００１６】
冷蔵空間１４には、その上下方向中央部に水平仕切３２が設けられ、水平仕切３２の上側に複数の棚３５を備え冷蔵室３４が、下側に上段貯蔵室３６と下段貯蔵室３８とよりなる上下２段の貯蔵室が、それぞれ設けられている。
【００１７】
冷蔵室３４の最下段には、引き出し式のチルド室４０が冷蔵庫３４の全幅にわたって設けられ、冷蔵室３４の下から２段目には、自動製氷装置２４に水を供給する給水タンク４２が配設されている。この冷蔵室３４は、回動室の扉４３によって開閉されるようになっている。
【００１８】
上段貯蔵室３６および下段貯蔵室３８との間は、水平仕切４３のよって各貯蔵室３６，３８の高さ寸法が等しくなるように仕切られ、各貯蔵室３６，３８の室内温度をそれぞれ独立して設定することができるようになっている。この水平仕切４３の上側に位置する上段貯蔵室３６は、冷蔵庫１００の設置雰囲気の温度である庫外温度から冷凍温度帯よりも高い温度帯の範囲内（例えば、−６℃〜＋１２℃）で調整可能とする冷蔵切替室であり、収納容器４４が引き出し式扉４５で引き出されるように構成されている。なお、この冷蔵切替室は、上記した温度範囲内において、ユーザが、任意の温度に設定できるように構成してもよく、また、あらかじめ設定された複数種の温度に切り替え可能に構成してもよい。
【００１９】
また、下段貯蔵室３８は、室内温度が、例えば５℃に設定された野菜室であり、野菜容器４６が引き出し式扉４７で引き出されるように構成されている。
【００２０】
この冷蔵庫１０は、冷凍空間１２と冷蔵空間１４のそれぞれに専用の冷却器５０，５２および冷却ファン５１，５３を備え、各冷却器５０，５２によって発生した冷気をダクト５４，５６を介して循環させて、各貯蔵室を所定の設定温度に冷却制御するようになっている。
【００２１】
詳細には、冷凍空間１２の背面部には、上下方向に延びるダクトが設けられており、第２冷凍室２２の背面部におけるダクト５４内に、冷凍用冷却器５０とファン５１が、ファン５１が上になるように上下に配置されている。これにより、ダクト５４の下端部に配された冷凍用冷却器５０の冷気をその上方に配したファン５１によりダクト５４内を上方に吹き上げて、ダクト５４の前面に設けた複数の吹き出し口５５から、庫内に吹き出されるようになっている。また、第２冷凍室２２に設けられた吹き出し口５５ａには、ダンパー５８が配設されており、このダンパー５８の開閉を制御することにより、第１冷凍室２０および第２冷凍室２２に導入する冷気量を調整し、各室を所定温度に冷却するようになっている。
【００２２】
また、冷蔵空間１４の背面部にも、上下方向に延びるダクト５６が設けられており、下段貯蔵室３８の背面部におけるダクト５６内に、冷蔵用冷却器５２とファン５３とが、冷蔵用冷却器５２がファン５３の冷気下流側になるように配置されている。これにより、ダクト５６の下端部に配された冷蔵用冷却器５２の冷気をファン５３によりダクト５６内を上方に吹き上げてダクト５６の前面に設けた複数の吹き出し口５７から、庫内に吹き出されるようになっている。これらの吹き出し口５７のうち、上段貯蔵室３６に設けられた吹き出し口５７ａには、ダンパー５９が配設されており、このダンパー５９の開閉制御により、冷蔵用冷却器５２を通過した冷気の導入量を調整して、上段貯蔵室３６を室温から−３℃の範囲内の所望温度に設定可能としている。
【００２３】
上記した各冷却器５０、５２へ冷媒を供給する圧縮機７０や凝縮器７２などが配置される機械室７４は、冷蔵空間１４に設けられている。
【００２４】
詳細には、図５に示すように、冷蔵空間１４の背面下部に下段貯蔵室３８側に突出する段部７６を形成し、この段部７６によって、冷蔵空間１４の幅方向にわたって所定の奥行きと高さ寸法を有する機械室７４を形成している。この機械室７４の内部には、コンプ台７８に載置された圧縮機７０を配置し、圧縮機７０の上方において凝縮器７２を機械室７４の背部に立設しており、圧縮機７０の前方に配設された放熱ファン８２によって放熱ダクト８０から外気を機械室７４内に導入し、機械室７４内部の圧縮機７０や凝縮器７２などを冷却するようになっている。
【００２５】
以上のように本実施形態の冷蔵庫１０では、機械室７４を冷凍空間１２および冷蔵空間１４のいずれか一方の空間に設けることで、他方の空間を形成する断熱壁をフラットに形成することができるため、平板状の真空断熱材を配設し易くなり、真空断熱材を配設した冷蔵庫を安価に製造することができる。特に、機械室７４を冷蔵空間１４に設けた場合、高い断熱性能が求められる冷凍空間１２を形成する断熱壁に真空断熱材をし易くなり、効率よく断熱性能を向上させることができる。一方、機械室７４を冷凍空間１２に設けた場合、冷蔵空間１４に設けられた上段貯蔵室３６と下段貯蔵室３８の奥行き寸法を等しく設けることができ、これにより、両貯蔵室３６．３８に配された収納容器４４を共用化してコストダウンを図ることができるとともに、両貯蔵室３６、３８の引き出し量が等しくなり、意匠性にも優れる。
【００２６】
また、上段貯蔵室３６と下段貯蔵室３８のそれぞれを独立して温度設定することができるため、ユーザの使用形態にあった冷蔵庫を提供することができ、使い勝手を向上させることができる。
【００２７】
さらにまた、本実施形態の冷蔵庫１０では、上段貯蔵室３６および下段貯蔵室３８の高さ寸法が等しいため、引き出し式扉４５、４７など部品の共用することができコストダウンを図ることができる。
【００２８】
なお、本実施形態の冷蔵庫１０では、上段貯蔵室３６を室内温度の調整が可能な冷蔵切替室に、下段貯蔵室３８を野菜室に、それぞれ設定しているが、上段貯蔵室３６を野菜室に、下段貯蔵室３８を冷蔵切替室に、それぞれ設定してもよく、また、上段貯蔵室３６および下段貯蔵室３８のいずれも冷蔵切替室に設定してもよい。
【図面の簡単な説明】
【００２９】
【図１】本発明の１実施形態を示す冷蔵庫の正面図である。
【図２】図１の冷蔵庫の内部構造を示す正面図である。
【図３】図１のＡ−Ａ線断面図である。
【図４】図１のＢ−Ｂ線断面図である。
【図５】機械室を示す図３の要部拡大断面図である。
【図６】従来の冷蔵庫の内部構造を示す正面図である。
【図７】従来の冷蔵庫の機械室の背面斜視図である。
【符号の説明】
【００３０】
１０…冷蔵庫 １２…冷凍空間 １４…冷蔵空間
１６…縦仕切壁 ３２…水平仕切 ３６…上段貯蔵室
３８…下段貯蔵室 ７０…圧縮機 ７４…機械室
【図１】
2007132570.tif 000003
【図２】
2007132570.tif 000004
【図３】
2007132570.tif 000005
【図４】
2007132570.tif 000006
【図５】
2007132570.tif 000007
【図６】
2007132570.tif 000008
【図７】
2007132570.tif 000009